(57)【特許請求の範囲】
【請求項１】
他のノード装置との間でシンクロナス・ディジタル・ハイアラーキーの制御情報を交換、処理するライン終端装置と、光スイッチの線路を設定することにより光伝送路の接続を切り替える光クロスコネクト装置とを備えるノード装置を複数接続して構成されるネットワークの障害復旧制御方法において、
任意のノード装置のライン終端装置により受信したシンクロナス・ディジタル・ハイアラーキーの制御情報を処理し、
前記ライン終端装置により処理したシンクロナス・ディジタル・ハイアラーキーの制御情報から光伝送路の障害を検知した場合、前記ライン終端装置から同じノード装置の光クロスコネクト装置へ、前記障害を検知した光伝送路を介して接続されたノード装置とは別のノード装置を経由する復旧ルートの形成を、シンクロナス・ディジタル・ハイアラーキーオーバヘッドのプロテクションスイッチングバイトを含む信号により指示し、
前記光クロスコネクト装置により他のノード装置の光クロスコネクト装置との間で光伝送路の切り替えに必要な情報を交換、収集し、
前記任意のノード装置の前記光クロスコネクト装置により前記交換、収集した復旧ルートの形成に必要な情報を用いて、前記復旧ルートを決定して前記光スイッチの経路を設定し、
前記任意のノード装置の前記光クロスコネクト装置による光スイッチの経路の設定に合わせて、前記他の光伝送路を構成する他のノード装置の光クロスコネクト装置に、前記復旧ルートの形成に必要な情報を用いて、前記復旧ルートを形成するため前記光スイッチの経路を設定することを特徴とする障害復旧制御方法。
【請求項２】
請求項１記載の障害復旧制御方法において、
前記光クロスコネクト装置の間で交換、収集される光伝送路の切り替えに必要な情報は、障害発生部位、前記障害に基づく光伝送路の切り替えに関連する光クロスコネクト装置の識別情報、前記障害を検知した光伝送路に代わる他の光伝送路の経路情報の少なくとも１つを含むことを特徴とする障害復旧制御方法。
【請求項３】
請求項１記載の障害復旧方法において、
前記光伝送路の切り替えに必要な情報は、通常の波長とは異なる波長の光信号用いて、あるいは、切り替えの対象となる光伝送路以外に別途設けられた通信網を用いて、前記光クロスコネクト装置の間で交換、収集されることを特徴とする障害復旧制御方法。
【請求項４】
他のノード装置との間でシンクロナス・ディジタル・ハイアラーキーの制御情報を交換、処理するライン終端装置と、光スイッチの線路を設定することにより光伝送路の接続を切り替える光クロスコネクト装置とを備えるノード装置を複数接続して構成されるネットワークの障害復旧制御方法において、
任意のノード装置のライン終端装置により受信したシンクロナス・ディジタル・ハイアラーキーの制御情報を処理し、
前記ライン終端装置により処理したシンクロナス・ディジタル・ハイアラーキーの制御情報から光伝送路の障害を検知した場合、前記ライン終端装置から同じノード装置の光クロスコネクト装置へ、前記障害を検知した光伝送路を介して接続されたノード装置とは別のノード装置を経由する復旧ルートを形成するために必要な情報の収集を指示し、
前記ライン終端装置により前記障害を検知した光伝送路を予備系の光伝送路へ切り替えるか、または、前記復旧ルートを形成するかを判断し、
前記光クロスコネクト装置により他のノード装置の光クロスコネクト装置との問で復旧ルートの形成に必要な情報を交換、収集し、
前記任意のノード装置の前記光クロスコネクト装置により、前記交換、収集した復旧ルートの形成に必要な情報を用いて、前記障害を検知した光伝送路に代わる復旧ルートを決定し、
前記ライン終端装置により前記復旧ルートを形成すると判断した場合、前記光クロスコネクト装置へ復旧ルートを形成するために前記光スイッチの経路を設定するように、シンクロナス・ディジタル・ハイアラーキーオーバヘッドのプロテクションスイッチングバイトを含む信号により指示し、
前記任意のノード装置の前記光クロスコネクト装置により前記復旧ルートの形成に必要な情報を用いて、前記復旧ルートを形成するために前記光スイッチの経路を設定し、
前記任意のノード装置の前記光クロスコネクト装置による前記光スイッチの経路の設定に合わせて、前記復旧ルートを構成する他のノード装置の前記光クロスコネクト装置により前記復旧ルートの形成に必要な情報を用いて、前記復旧ルートを形成するために前記光スイッチの経路を設定することを特徴とする障害復旧制御方法。
【請求項５】
請求項４記載の障害復旧制御方法において、
前記光クロスコネクト装置の間で交換、収集される復旧ルートの形成に必要な情報は、障害発生部位、前記復旧ルートを構成する光クロスコネクト装置の識別情報、前記復旧ルートの経路情報の少なくとも１つを含むことを特徴とする障害復旧制御方法。
【請求項６】
請求項４記載の障害復旧制御方法において、
前記復旧ルートの形成に必要な情報は、通常の波長とは異なる波長の光信号を用いて、あるいは、切り替えの対象となる光伝送路以外に別途設けられた通信網を用いて前記光クロスコネクト装置の間で交換、収集されることを特徴とする障害復旧制御方法。
【発明の詳細な説明】
【０００１】
【発明の属する技術分野】
本発明は、通信網における障害復旧制御方法に係り、特に、光ファイバを光スイッチにより切り替える光クロスコネクト装置を使用する通信網に適用して好適な障害復旧制御方法に関する。
【０００２】
【従来の技術】
従来、信号伝送路として光ファイバを使用して通信網を構成する場合、通信を制御するノード装置内に、光ファイバ対応に光−電気信号変換器とライン終端装置とを設け、光ファイバの特性劣化、光ファイバ断線等の伝送路障害が発生した場合、ライン終端装置が、その障害を検出して光ファイバを予備系に切り替えていた。
【０００３】
また、近年、光スイッチにより光ファイバの切り替えを行う光クロスコネクト装置と呼ばれる装置をライン終端装置と共にノード装置内に設け、このノード装置を用いて通信網を構成することが行われている。
【０００４】
図５は光クロスコネクト装置を使用した従来技術による通信網（ネットワーク）の例を示すブロック図、図６はノード装置の構成を示すブロック図、図７は通信網の障害復旧の動作を説明するシーケンス図である。図５、図６において、Ｎ１〜Ｎ３はノード装置、ＬＴＥ１〜ＬＴＥ３はライン終端装置、ＯＸＣ１〜ＯＸＣ３は光クロスコネクト装置、ＯＦ１２、ＯＦ１３、ＯＦ２３は光ファイバ、６０は障害検出機能、６１はＯＸＣ切り替えトリガ発生機能、６２はＯＸＣ切り替え制御信号転送機能、６３は自ノードＯＸＣとの通信制御機能、６４は他ノードとの通信制御機能、６５は切り替えルート決定機能、６６は光スイッチ制御機能、６７は切り替えトリガ受付機能、６８は他ノード情報収集機能、６９は他ノードＯＸＣ切り替え依頼機能、６Ａは通信制御機能である。
【０００５】
図５に示す通信網は、３つのノード装置Ｎ１〜Ｎ３が信号伝送路としての光ファイバＯＦ１２、ＯＦ１３、ＯＦ２３により相互に接続されて構成されている。図示例の通信網は、ノード装置を３つとしているが、ノード装置をさらに多数設けて、それらのノード装置の相互間を光ファイバで接続した構成であってよい。ノード装置Ｎ１〜Ｎ３のそれぞれは、図６に示すようにライン終端装置ＬＴＥと、光クロスコネクト装置ＯＸＣとを備えて構成される。
【０００６】
ライン終端装置ＬＴＥは、ノード装置相互間での信号伝送の制御機能、及び、光ファイバの特性劣化、断等の障害検出による光クロスコネクト装置に対する光ファイバの切り替え指示等の制御機能を有し、詳細には、図６に示すように、障害検出機能６０、ＯＸＣ切り替えトリガ発生機能６１、ＯＸＣ切り替え制御信号転送機能６２、自ノードＯＸＣとの通信制御機能６３、他ノードとの通信制御機能６４を備えて構成される。
【０００７】
また、光クロスコネクト装置ＯＸＣは、ライン終端装置からの指示に基づいて、その内部に備えられる光スイッチを切り替えて伝送路である光ファイバの切り替えを行う機能を有し、詳細には、図６に示すように、切り替えルート決定機能６５、光スイッチ制御機能６６、切り替えトリガ受付機能６７、他ノード情報収集機能６８、他ノードＯＸＣ切り替え依頼機能６９、通信制御機能６Ａを備えて構成される。
【０００８】
なお、図６に示すライン終端装置ＬＴＥと光クロスコネクト装置ＯＸＣとの構成は、障害復旧のために必要な構成のみを示しており、通常の信号の伝送のための機能は、従前と同様な機能が備えられている。
【０００９】
前述したように構成されるノード装置とこのようなノード装置を含んだ通信網において、いま、ノード装置Ｎ１とノード装置Ｎ２とが、その間を接続する光ファイバＯＦ１２を介して信号の送受信を行っており、ノード装置Ｎ１内のライン終端装置ＬＴＥ１が光ファイバＯＦ１２に障害が発生したことを検出したものとする。この場合、ライン終端装置ＬＴＥ１は、障害の復旧のための制御情報を、他のノード装置との間で交換して他のノード装置のノード情報を収集し、収集した他のノード装置のノード情報を光クロスコネクト装置ＯＸＣ１に渡し、光クロスコネクト装置ＯＸＣ１が、伝送ルートを決定し伝送路である光ファイバの切り替えを行って障害を復旧する。
【００１０】
次に、このような障害復旧の動作を図７に示すシーケンスを参照して説明する。図７に示す例は、ノード装置Ｎ１とノード装置Ｎ２とが、その間を接続する光ファイバＯＦ１２を介して信号の送受信を行っているときに、光ファイバＯＦ１２に障害が生じて、復旧ルートとして、光ファイバＯＦ１３、ノード装置Ｎ３、光ファイバＯＦ２３を介してノード装置Ｎ２に接続するルートを構成する場合の例である。
【００１１】
（１）ノード装置Ｎ１内のライン終端装置ＬＴＥ１は、光ファイバＯＦ１２の障害発生を検出すると、自ノード装置内の光クロスコネクト装置ＯＸＣ１に対して光ファイバの切り替えを要請する。これを受けた光クロスコネクト装置ＯＸＣ１は、ライン終端装置ＬＴＥ１に対してノード情報の収集を依頼する（ステップ７０１、７０２）。
【００１２】
（２）ライン終端装置ＬＴＥ１は、他のノード装置のライン終端装置、この場合、ノード装置Ｎ２、Ｎ３のライン終端装置ＬＴＥ２、ＬＴＥ３に対してノード情報を転送するように依頼する（ステップ７０３、７０４）。
【００１３】
（３）ノード情報の転送依頼を受けたノード装置Ｎ２、Ｎ３のライン終端装置ＬＴＥ２、ＬＴＥ３は、自ノード装置の光クロスコネクト装置ＯＸＣ２、ＯＸＣ３からノード情報を収集してその情報をライン終端装置ＬＴＥ１に転送する（ステップ７０５〜７１０）。
【００１４】
（４）ライン終端装置ＬＴＥ１は、転送されてきたノード装置Ｎ１、Ｎ２のノード情報を返答情報として、自ノード装置内の光クロスコネクト装置ＯＸＣ１に渡す。光クロスコネクト装置ＯＸＣ１は、送られてきた各ノード情報に基づいて切り替えルートを決定し、この決定されたルート情報と共に、切り替え依頼をライン終端装置ＬＴＥ１に送信する（ステップ７１１〜７１４）。
【００１５】
（５）ライン終端装置ＬＴＥ１は、決定されたルート情報に従った光ファイバの切り替えを、ノード装置Ｎ２、Ｎ３のライン終端装置ＬＴＥ２、ＬＴＥ３に指示し、ライン終端装置ＬＴＥ２、ＬＴＥ３は、この指示に従って光ファイバの切り替えを行うよう、自ノード装置内の光クロスコネクト装置ＯＸＣ２、ＯＸＣ３に指示する（ステップ７１５〜７１８）。
【００１６】
（６）各ノード装置内の光クロスコネクト装置ＯＸＣ１〜ＯＸＣ３は、決定されたルートを形成するため、自装置内の光スイッチを切り替える。この切り替えは、各装置がそのタイミングを合わせて行われる。また、光クロスコネクト装置ＯＸＣ２、ＯＸＣ３は、切り替えの終了をライン終端装置ＬＴＥ２、ＬＴＥ３を介して、ノード装置Ｎ１のライン終端装置ＬＴＥ１に報告する（ステップ７１９〜７２５）。
【００１７】
（７）ノード装置Ｎ１のライン終端装置ＬＴＥ１は、光クロスコネクト装置ＯＸＣ２、ＯＸＣ３からの光ファイバ切り替え終了を、自ノード装置内の光クロスコネクト装置ＯＸＣ１に報告する（ステップ７２６、７２７）。
【００１８】
前述の処理により、光ファイバＯＦ１２に障害が生じた場合に、ノード装置Ｎ１から光ファイバＯＦ１３、ノード装置Ｎ３、光ファイバＯＦ２３を介してノード装置Ｎ２に接続する復旧ルートを形成することができる。
【００１９】
なお、前述した処理において、ステップ７０３、７０４のライン終端装置ＬＴＥ１が他のノード装置のノード情報を収集する処理は、通信網内の全てのノード装置に対して行われ、ステップ７１５、７１６の光ファイバの切り替え指示は、決定された復旧ルートに関連するノード装置に対してのみ行われる。
【００２０】
前述の処理は、国際標準であるシンクロナス・ディジタル・ハイアラーキー（ＳＤＨ）のヘッダを用いて、障害復旧制御情報をノード装置間で交換することにより行われるものである。この場合、光クロスコネクト装置ＯＸＣでは、ヘッダ部分を解析することがことができないため、制御信号は、図７により説明したように、また、図５に点線で示すように、全てライン終端装置ＬＴＥを介して流さなければならない。
【００２１】
また、一般に、ヘッダを用いた障害復旧制御情報のノード間での交換は、ヘッダにあるディジタル・コミュニケーション・チャネル（ＤＣＣ）を使用して行われるが、他の方法、例えば、ノード装置間に制御信号専用のネットワーク等を設けて行うことができる。しかし、この場合にも、他のノード装置との制御信号の交換は、一旦、ライン終端装置ＬＴＥを介してからでないと行うことができず、直接他のノード装置の光クロスコネクト装置に制御信号を送ることができない。
【００２２】
前述したように、従来技術において、障害復旧制御情報のノード間での交換を、ライン終端装置ＬＴＥを介して行うのは、ＳＤＨのヘッダに、ライン終端装置ＬＴＥ相互に切り替え信号を伝送するＫ１、Ｋ２倍とがすでに用意されているため、これを有効に利用するためである。
【００２３】
【発明が解決しようとする課題】
前述した従来技術は、障害復旧制御情報のノード間での交換を、ライン終端装置ＬＴＥを介して行っているため、通信網内のノード装置として、ライン終端装置ＬＴＥのようなＳＤＨのヘッダを解釈することができる装置を持たない、例えば、光クロスコネクト装置ＯＸＣのみで構成されるノード装置が存在する場合、そのノード装置との間での制御情報の交換を行うことができないという問題点を有している。
【００２４】
また、前述した従来技術は、１つのノード装置の中でも、ライン終端装置ＬＴＥと光クロスコネクト装置ＯＸＣとの間でインタフェースを規定する必要があるが、障害復旧制御情報の交換のためのインタフェースが増加することになり、ノード装置の構成を複雑にしてしまうという問題点を有している。
【００２５】
本発明の目的は、前述した従来技術の問題点を解決し、障害復旧制御情報のノード間での交換を、ライン終端装置ＬＴＥを介することなく行うことを可能にして、ライン終端装置ＬＴＥを持たないノード装置が通信網の中に存在する場合にも、そのノード装置との間での障害復旧制御情報の交換を行って、最適な復旧ルートを形成することができ、かつ、１つのノード装置内でのライン終端装置ＬＴＥと光クロスコネクト装置ＯＸＣとの間のインタフェースを少なくしてノード装置の構成を簡略化することのできる通信網の障害復旧制御方法を提供することにある。
【００２６】
【課題を解決するための手段】
本発明によれば前記目的は、他のノード装置との間でシンクロナス・ディジタル・ハイアラーキーの制御情報を交換、処理するライン終端装置と、光スイッチの線路を設定することにより光伝送路の接続を切り替える光クロスコネクト装置とを備えるノード装置を複数接続して構成されるネットワークの障害復旧制御方法において、任意のノード装置のライン終端装置により受信したシンクロナス・ディジタル・ハイアラーキーの制御情報を処理し、前記ライン終端装置により処理したシンクロナス・ディジタル・ハイアラーキーの制御情報から光伝送路の障害を検知した場合、前記ライン終端装置から同じノード装置の光クロスコネクト装置へ、前記障害を検知した光伝送路を介して接続されたノード装置とは別のノード装置を経由する復旧ルートの形成を、シンクロナス・ディジタル・ハイアラーキーオーバヘッドのプロテクションスイッチングバイトを含む信号により指示し、前記光クロスコネクト装置により他のノード装置の光クロスコネクト装置との間で光伝送路の切り替えに必要な情報を交換、収集し、前記任意のノード装置の前記光クロスコネクト装置により前記交換、収集した復旧ルートの形成に必要な情報を用いて、前記復旧ルートを決定して前記光スイッチの経路を設定し、前記任意のノード装置の前記光クロスコネクト装置による光スイッチの経路の設定に合わせて、前記他の光伝送路を構成する他のノード装置の光クロスコネクト装置に、前記復旧ルートの形成に必要な情報を用いて、前記復旧ルートを形成するため前記光スイッチの経路を設定することにより達成される。
【００２７】
また、前記目的は、前記光クロスコネクト装置の間で交換、収集される光伝送路の切り替えに必要な情報は、障害発生部位、前記障害に基づく光伝送路の切り替えに関連する光クロスコネクト装置の識別情報、前記障害を検知した光伝送路に代わる他の光伝送路の経路情報の少なくとも１つを含むことにより達成される。
【００２８】
さらに、前記目的は、他のノード装置との間でシンクロナス・ディジタル・ハイアラーキーの制御情報を交換、処理するライン終端装置と、光スイッチの線路を設定することにより光伝送路の接続を切り替える光クロスコネクト装置とを備えるノード装置を複数接続して構成されるネットワークの障害復旧制御方法において、任意のノード装置のライン終端装置により受信したシンクロナス・ディジタル・ハイアラーキーの制御情報を処理し、前記ライン終端装置により処理したシンクロナス・ディジタル・ハイアラーキーの制御情報から光伝送路の障害を検知した場合、前記ライン終端装置から同じノード装置の光クロスコネクト装置へ、前記障害を検知した光伝送路を介して接続されたノード装置とは別のノード装置を経由する復旧ルートを形成するために必要な情報の収集を指示し、前記ライン終端装置により前記障害を検知した光伝送路を予備系の光伝送路へ切り替えるか、または、前記復旧ルートを形成するかを判断し、前記光クロスコネクト装置により他のノード装置の光クロスコネクト装置との問で復旧ルートの形成に必要な情報を交換、収集し、前記任意のノード装置の前記光クロスコネクト装置により、前記交換、収集した復旧ルートの形成に必要な情報を用いて、前記障害を検知した光伝送路に代わる復旧ルートを決定し、前記ライン終端装置により前記復旧ルートを形成すると判断した場合、前記光クロスコネクト装置へ復旧ルートを形成するために前記光スイッチの経路を設定するように、シンクロナス・ディジタル・ハイアラーキーオーバヘッドのプロテクションスイッチングバイトを含む信号により指示し、前記任意のノード装置の前記光クロスコネクト装置により前記復旧ルートの形成に必要な情報を用いて、前記復旧ルートを形成するために前記光スイッチの経路を設定し、前記任意のノード装置の前記光クロスコネクト装置による前記光スイッチの経路の設定に合わせて、前記復旧ルートを構成する他のノード装置の前記光クロスコネクト装置により前記復旧ルートの形成に必要な情報を用いて、前記復旧ルートを形成するために前記光スイッチの経路を設定することにより達成される。
【００２９】
【発明の実施の形態】
以下、本発明による通信網の障害復旧制御方法の一実施形態を図面により詳細に説明する。
【００３０】
図１は本発明の障害復旧制御方法が適用された通信網の構成と障害復旧制御情報の流れを示すブロック図、図２はノード装置の構成を示すブロック図、図３はその動作を説明するシーケンス図である。図１、図２における図の符号は、図５、図６の場合と同一である。
【００３１】
図１に示す通信網は、図５により説明した従来技術の場合と同様に、３つのノード装置Ｎ１〜Ｎ３が信号伝送路としての光ファイバＯＦ１２、ＯＦ１３、ＯＦ２３により相互に接続されて構成されている。そして、この本発明の一実施形態の場合にも、ノード装置をさらに多数設けて、それらのノード装置の相互間を光ファイバで接続して通信網を構成してもよい。
【００３２】
ノード装置Ｎ１〜Ｎ３のそれぞれは、図２に示すようにライン終端装置ＬＴＥと、光クロスコネクト装置ＯＸＣとを備えて構成される。ライン終端装置ＬＴＥは、ノード装置相互間での信号伝送の制御機能、及び、光ファイバの特性劣化、断等の障害検出による光クロスコネクト装置に対する光ファイバの切り替え指示等の制御機能を有し、詳細には、図２に示すように、障害検出機能６０、ＯＸＣ切り替えトリガ発生機能６１、自ノードＯＸＣとの通信制御機能６３を備えて構成される。この構成は、図６により説明した従来技術のライン終端装置ＬＴＥの構成から、ＯＸＣ切り替え制御信号転送機能６２、他ノードとの通信制御機能６４を除去したものである。また、光クロスコネクト装置ＯＸＣは、ライン終端装置からの指示に基づいて、その内部に備えられる光スイッチを切り替えて伝送路である光ファイバの切り替えを行う機能を有し、詳細には、図２に示すように構成されるが、この構成は、図６により説明した光クロスコネクト装置ＯＸＣの構成と全く同一である。
【００３３】
なお、図２に示すライン終端装置ＬＴＥと光クロスコネクト装置ＯＸＣとの構成も、図６で説明したと同様に、障害復旧のために必要な構成のみを示しており、通常の信号の伝送のための機能として、従前と同様な機能が備えられている。
【００３４】
本発明の一実施形態においては、通信網内に備えられるノード装置内のライン終端装置ＬＴＥは、通信中の光ファイバの障害を検出したとき、自ノード装置内の光クロスコネクト装置ＯＸＣに対して、光ファイバの切り替えのためのトリガとなる指示を行い、その後の、光ファイバの切り替えのための全ての制御を、光クロスコネクト装置ＯＸＣ自身が、他のノード装置内の光クロスコネクト装置との間で切り替え制御情報の交換を行って実施するようにしたものである。
【００３５】
前述において、光クロスコネクト装置相互間で交換される制御情報は、障害発生部位、関連する光クロスコネクト装置の識別（ＩＤ）情報、復旧ルート等である。そして、これらの制御情報の転送は、別途設けられる図示しないＬＡＮ等の通信網を用いて、あるいは、制御情報の転送であることを示すための通常の波長とは異なる波長の光信号を用いて行われる。
【００３６】
ここで、ライン終端装置から切り替えのトリガとして光クロスコネクト装置に出力される信号の中に、ＳＤＨオーバーヘッドのプロテクションスイッチングバイト（Ｋ１、Ｋ２）の内容を含んでもよい。
【００３７】
次に、前述したように構成されるノード装置とこのようなノード装置を含んで構成される通信網において、いま、ノード装置Ｎ１とノード装置Ｎ２とが、その間を接続する光ファイバＯＦ１２を介して信号の送受信を行っており、ノード装置Ｎ１内のライン終端装置ＬＴＥ１が光ファイバＯＦ１２に障害が発生したことを検出したものとして、障害復旧の動作を図３に示すシーケンスを参照して説明する。
【００３８】
（１）ライン終端ＬＴＥ１は、光ファイバＯＦ１２の障害発生を検出すると、自ノード装置Ｎ１内の光クロスコネクト装置ＯＸＣ１に対して切り替えトリガを発し、光ファイバの切り替えを要請する。これを受けた光クロスコネクト装置ＯＸＣ１は、通信網内の他のノード装置Ｎ２、Ｎ３の光クロスコネクト装置ＯＸＣ２、ＯＸＣ３に対してノード情報の収集を依頼する（ステップ３０１〜３０３）。
【００３９】
（２）ノード情報の収集を依頼された他のノード装置Ｎ２、Ｎ３の光クロスコネクト装置ＯＸＣ２、ＯＸＣ３は、ノード情報を収集してその情報をノード装置Ｎ１の光クロスコネクト装置ＯＸＣ１に転送する（ステップ３０４、３０５）。
【００４０】
（３）他のノード装置Ｎ２、Ｎ３の光クロスコネクト装置ＯＸＣ２、ＯＸＣ３からノード情報を受け取ったノード装置Ｎ１の光クロスコネクト装置ＯＸＣ１は、これらのノード情報に基づいて、復旧ルートを決定し、各ノード装置での光ファイバの切り替え情報を生成し、ノード装置Ｎ２、Ｎ３の光クロスコネクト装置ＯＸＣ２、ＯＸＣ３に、光ファイバの切り替えを依頼する（ステップ３０６〜３０８）。
【００４１】
（４）各ノード装置内の光クロスコネクト装置ＯＸＣ１〜ＯＸＣ３は、決定されたルートを形成するため、自装置内の光スイッチを切り替える。この切り替えは、各装置がそのタイミングを合わせて行われる。また、光クロスコネクト装置ＯＸＣ２、ＯＸＣ３は、切り替えの終了をノード装置Ｎ１の光クロスコネクト装置ＯＸＣ１に報告する（ステップ３０９〜３１３）。
【００４２】
前述の処理により、光ファイバＯＦ１２に障害が生じた場合に、ノード装置Ｎ１から光ファイバＯＦ１３、ノード装置Ｎ３、光ファイバＯＦ２３を介してノード装置Ｎ２に接続する復旧ルートを形成することができる。
【００４３】
なお、前述した処理においても、従来技術により説明したと同様に、ステップ３０２〜３０５の光クロスコネクト装置ＯＸＣ１が他のノード装置のノード情報を収集する処理は、通信網内の全てのノード装置に対して行われ、ステップ３０７、３０８の光ファイバの切り替え指示は、決定された復旧ルートに関連するノード装置に対してのみ行われる。
【００４４】
前述した本発明の一実施形態によれば、通信網内に備えられるノード装置内のライン終端装置ＬＴＥは、通信中の光ファイバの障害を検出したとき、自ノード装置内の光クロスコネクト装置ＯＸＣに対して、光ファイバの切り替えのためのトリガとなる指示のみを行い、その後の、光ファイバの切り替えのための全ての制御が、光クロスコネクト装置ＯＸＣ自身が、他のノード装置内の光クロスコネクト装置との間で切り替え制御情報の交換を行って実施するようにされているので、制御情報の交換をライン終端装置ＬＴＥを介することなく行うことができ、復旧ルートの形成までの時間を短縮することができる。
【００４５】
また、前述した本発明実施形態によれば、通信網内に、光クロスコネクト装置ＯＸＣのみで構成されるノード装置が含まれる場合にも、そのノードを含む復旧ルートを構成することができる。
【００４６】
さらに、前述した本発明実施形態によれば、ライン終端装置ＬＴＥと光クロスコネクト装置ＯＸＣとの間のインタフェースの規定、光クロスコネクト装置ＯＸＣ相互間のインタフェース規定をそれぞれの機能に従って分離することができるため、それぞれのインタフェース規定を簡潔にすることができる。
【００４７】
前述した本発明の一実施形態は、ノード装置間を接続している伝送路である光ファイバに障害が発生したとき、他のノード装置を経由する復旧ルートを構成するとして説明した。しかし、ノード装置相互間には、複数の光ファイバが施設されて予備系の光ファイバが備えられているのが一般的である。そして、各ノード装置内のライン終端装置ＬＴＥは、情報伝送に使用している光ファイバの障害を検出したとき、まず、予備系の光ファイバへの切り替えの動作を行う。
【００４８】
そして、ライン終端装置ＬＴＥは、予備系の光ファイバにも障害がある場合、あるいは、障害となった光ファイバ数が予備系として用意されている光ファイバ数より多い場合に、光クロスコネクト装置ＯＸＣに復旧ルート構成のための切り替えトリガを送信することになる。
【００４９】
このため、前述した本発明の一実施形態は、ノード装置相互間に複数の光ファイバが施設されて予備系の光ファイバが備えられている通信網に適用された場合、ライン終端装置ＬＴＥが、予備系の光ファイバへの切り替えを行うか、光クロスコネクト装置ＯＸＣに復旧ルート構成のための切り替えトリガを発して、他のノード装置を経由した復旧ルートを構成させるかを判断する時間を必要とし、切り替えトリガを発するまでに時間がかかり、復旧ルートを構成するまでに多くの時間を要する場合が生じてしまう。
【００５０】
図４は前述のような場合にも復旧ルートを構成するまで時間を短縮することのできる本発明の他の実施形態の動作を説明するシーケンス図であり、以下、これについて説明する。なお、通信網の構成、障害の状態は、前述した実施形態の場合と同一であるとし、図４には、ノード装置Ｎ１の動作の一部のみが示されている。
【００５１】
（１）ノード装置Ｎ１内のライン終端装置ＬＴＥ１は、光ファイバＯＦ１２の障害発生を検出すると、自ノード装置Ｎ１内の光クロスコネクト装置ＯＸＣ１に対して障害発生を報告する。これを受けた光クロスコネクト装置ＯＸＣ１は、通信網内の他のノード装置Ｎ２、Ｎ３の光クロスコネクト装置ＯＸＣ２、ＯＸＣ３に対してノード情報の収集を依頼する（ステップ４０１〜４０３）。
【００５２】
（２）ノード情報の収集を依頼された他のノード装置Ｎ２、Ｎ３の光クロスコネクト装置ＯＸＣ２、ＯＸＣ３は、ノード情報を収集してその情報をノード装置Ｎ１の光クロスコネクト装置ＯＸＣ１に転送する（ステップ４０４、４０５）。
【００５３】
（３）他のノード装置Ｎ２、Ｎ３の光クロスコネクト装置ＯＸＣ２、ＯＸＣ３からノード情報を受け取ったノード装置Ｎ１の光クロスコネクト装置ＯＸＣ１は、これらのノード情報に基づいて、復旧ルートを仮決定する（ステップ４０６）。
【００５４】
（４）一方、光クロスコネクト装置ＯＸＣ１が前述の処理を行っている間、ライン終端装置ＬＴＥ１は、予備系の光ファイバへの切り替えを行うか、光クロスコネクト装置ＯＸＣ１に復旧ルート構成のための切り替えトリガを発して、他のノード装置を経由した復旧ルートを構成させるかを判断する。そして、他のノード装置を経由した復旧ルートを構成するとした場合に、光クロスコネクト装置ＯＸＣ１に復旧ルート構成のための切り替えトリガを発する。このトリガは、何時発せられてもよい（ステップ４０７）。
【００５５】
（５）切り替えトリガを受けた光クロスコネクト装置ＯＸＣ１は、以後、仮決定としていた復旧ルートを正式なものとして、図３により説明したステップ３０７以降と同様な処理により復旧ルートを構成する。
【００５６】
前述した本発明の他の実施形態によれば、本発明がノード装置相互間に複数の光ファイバが施設されて予備系の光ファイバが備えられている通信網に適用された場合にも、ライン終端装置ＬＴＥが、予備系の光ファイバへの切り替えを行うか、他のノード装置を経由した復旧ルートを形成させるかを判断している時間に、光クロスコネクト装置ＯＸＣが、他のノード装置のノード情報を収集して復旧ルートを仮決定しているので、復旧ルートを構成するまで時間を短縮することができる。
【００５７】
【発明の効果】
以上説明したように本発明によれば、ノード装置内のライン終端装置は、通信中の光ファイバの障害を検出したとき、自ノード装置内の光クロスコネクト装置に対して、光ファイバの切り替えのためのトリガとなる指示のみを行えはよく、その後の、光ファイバの切り替えのための全ての制御が、光クロスコネクト装置自身により、制御情報の交換をライン終端装置を介することなく行うことができるので、復旧ルートの構成までの時間を短縮することができる。
【００５８】
また、本発明によれば、通信網内に、光クロスコネクト装置のみで構成されるノード装置が含まれる場合にも、そのノードを含む復旧ルートを構成することができる。
【００５９】
さらに、本発明によれば、ライン終端装置と光クロスコネクト装置との間のインタフェースの規定、光クロスコネクト装置相互間のインタフェース規定をそれぞれの機能に従って分離することができるため、それぞれのインタフェース規定を簡潔にすることができる。
【図面の簡単な説明】
【図１】本発明の障害復旧制御方法が適用された通信網の構成と障害復旧制御情報の流れを示すブロック図である。
【図２】ノード装置の構成を示すブロック図である。
【図３】本発明の一実施形態の動作を説明するシーケンス図である。
【図４】本発明の他の実施形態の動作を説明するシーケンス図である。
【図５】光クロスコネクト装置を使用した従来技術による通信網（ネットワーク）の例を示すブロック図である。
【図６】ノード装置の構成を示すブロック図である。
【図７】従来技術の動作を説明するシーケンス図である。
【符号の説明】
Ｎ１〜Ｎ３  ノード装置
ＬＴＥ１〜ＬＴＥ３  ライン終端装置
ＯＸＣ１〜ＯＸＣ３  光クロスコネクト装置
ＯＦ１２、ＯＦ１３、ＯＦ２３  光ファイバ
６０  障害検出機能
６１  ＯＸＣ切り替えトリガ発生機能
６２  ＯＸＣ切り替え制御信号転送機能
６３  自ノードＯＸＣとの通信制御機能
６４  他ノードとの通信制御機能
６５  切り替えルート決定機能
６６  光スイッチ制御機能
６７  切り替えトリガ受付機能
６８  他ノード情報収集機能
６９  他ノードＯＸＣ切り替え依頼機能
６Ａ  通信制御機能
【図１】
0003777008.tif 000002
【図２】
0003777008.tif 000003
【図３】
0003777008.tif 000004
【図４】
0003777008.tif 000005
【図５】
0003777008.tif 000006
【図６】
0003777008.tif 000007
【図７】
0003777008.tif 000008